(57)【要約】  本開示は、リソース予約方法および装置を提供する。本開示のリソース予約方法は、第１ユーザ機器から送信されるスケジューリング割当情報であって、前記第１ユーザ機器が予約すべき時間−周波数リソースの情報を含むスケジューリング割当情報を受信することと、前記スケジューリング割当情報に基づいて、前記第１ユーザ機器による前記時間−周波数リソースの予約回数を特定することと、前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することと、そうでなければ、前記時間−周波数リソースをアイドルリソースとすることとを含む。【選択図】  図３
2019523609.tif 000002
【特許請求の範囲】
【請求項１】
第１ユーザ機器から送信されるスケジューリング割当情報であって、前記第１ユーザ機器が予約すべき時間−周波数リソースの情報を含むスケジューリング割当情報を受信することと、
前記スケジューリング割当情報に基づいて、前記第１ユーザ機器による前記時間−周波数リソースの予約回数を特定することと、
前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することと、
前記予約回数が失効する前に、前記第１ユーザ機器から送信される前記時間−周波数リソースに関する新規のスケジューリング割当情報を受信しなければ、前記時間−周波数リソースをアイドルリソースとすることとを含むリソース予約方法。
【請求項２】
前記スケジューリング割当情報には、時間−周波数リソース占用周期がさらに含まれ、または、
前記スケジューリング割当情報には、現在の余剰時間−周波数リソースの連続的占用の実際回数がさらに含まれ、または、
前記スケジューリング割当情報には、現在の余剰時間−周波数リソースの連続的占用の実際回数、時間−周波数リソース占用周期がさらに含まれ、または、
前記スケジューリング割当情報には、現在の余剰時間−周波数リソースの連続的占用の有効回数、時間−周波数リソース占用周期がさらに含まれる請求項１に記載の方法。
【請求項３】
前記スケジューリング割当情報に基づいて、前記第１ユーザ機器による前記時間−周波数リソースの予約回数を特定することは、
前記スケジューリング割当情報に基づいて、所定の時間−周波数リソース最大有効回数を特定し、２以上の整数である前記時間−周波数リソース最大有効回数を前記予約回数とすることを含む請求項２に記載の方法。
【請求項４】
前記スケジューリング割当情報に基づいて、前記第１ユーザ機器による前記時間−周波数リソースの予約回数を特定することは、
前記スケジューリング割当情報に基づいて、所定の時間−周波数リソース最大有効回数を特定することと、
２以上の整数である前記時間−周波数リソース最大有効回数と前記現在の余剰時間−周波数リソースの連続的占用の実際回数のうちの小さいほうの値を前記時間−周波数リソースの予約回数とすることとを含む請求項２に記載の方法。
【請求項５】
前記スケジューリング割当情報に基づいて、前記第１ユーザ機器による前記時間−周波数リソースの予約回数を特定することは、
前記現在の余剰時間−周波数リソースの連続的占用の有効回数を前記時間−周波数リソースの予約回数とすることを含み、
前記現在の余剰時間−周波数リソースの連続的占用の有効回数は、前記第１ユーザ機器が特定した現在の余剰時間−周波数リソースの連続的占用の実際回数と、２以上の整数である所定の時間−周波数リソース最大有効回数のうちの小さいほうの値である請求項２に記載の方法。
【請求項６】
前記予約回数が失効する前に、前記第１ユーザ機器から送信される前記時間−周波数リソースに関する新規のスケジューリング割当情報を受信しなければ、前記時間−周波数リソースをアイドルリソースとすることは、具体的に、
前記時間−周波数リソースに関する新規のスケジューリング割当情報を前記第１ユーザ機器から連続的に受信しない回数が前記予約回数に達すると、前記時間−周波数リソースをアイドルリソースとする請求項１に記載の方法。
【請求項７】
前記第１ユーザ機器が予約すべき時間−周波数リソースの情報は、前記時間−周波数リソースの位置情報である請求項１〜６のいずれか一項に記載の方法。
【請求項８】
受信したスケジューリング割当情報の電力と受信した新規のスケジューリング割当情報の電力は、ともに所定値以上である請求項１〜６のいずれか一項に記載の方法。
【請求項９】
予約すべき時間−周波数リソースの情報が含まれるスケジューリング割当情報を第２ユーザ機器に送信することと、
引き続き前記時間−周波数リソースの予約が必要である場合、前記時間−周波数リソースに関する新規のスケジューリング割当情報を前記第２ユーザ機器に送信することとを含むリソース予約方法。
【請求項１０】
前記スケジューリング割当情報には、時間−周波数リソース占用周期がさらに含まれ、または、
前記スケジューリング割当情報には、現在の余剰時間−周波数リソースの連続的占用の実際回数がさらに含まれ、または、
前記スケジューリング割当情報には、現在の余剰時間−周波数リソースの連続的占用の実際回数、時間−周波数リソース占用周期がさらに含まれ、または、
前記スケジューリング割当情報には、現在の余剰時間−周波数リソースの連続的占用の有効回数、時間−周波数リソース占用周期がさらに含まれる請求項９に記載の方法。
【請求項１１】
前記現在の余剰時間−周波数リソースの連続的占用の実際回数は、前記時間−周波数リソースを利用したデータ伝送回数の逓増につれて逓減する請求項１０に記載の方法。
【請求項１２】
前記現在の余剰時間−周波数リソースの連続的占用の有効回数は、前記現在の余剰時間−周波数リソースの連続的占用の実際回数と、２以上の整数である所定の時間−周波数リソース最大有効回数のうちの小さいほうの値である請求項１０に記載の方法。
【請求項１３】
第１ユーザ機器から送信されるスケジューリング割当情報であって、前記第１ユーザ機器が予約すべき時間−周波数リソースの情報を含むスケジューリング割当情報を受信することに用いられる受信モジュールと、
前記スケジューリング割当情報に基づいて、前記第１ユーザ機器による前記時間−周波数リソースの予約回数を特定することに用いられる特定モジュールと、
前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することに用いられる第１処理モジュールと、
前記予約回数が失効する前に、前記第１ユーザ機器から送信される前記時間−周波数リソースに関する新規のスケジューリング割当情報を受信しなければ、前記時間−周波数リソースをアイドルリソースとすることに用いられる第２処理モジュールとを含むリソース予約装置。
【請求項１４】
前記スケジューリング割当情報には、時間−周波数リソース占用周期がさらに含まれ、または、
前記スケジューリング割当情報には、現在の余剰時間−周波数リソースの連続的占用の実際回数がさらに含まれ、または、
前記スケジューリング割当情報には、現在の余剰時間−周波数リソースの連続的占用の実際回数、時間−周波数リソース占用周期がさらに含まれ、または、
前記スケジューリング割当情報には、現在の余剰時間−周波数リソースの連続的占用の有効回数、時間−周波数リソース占用周期がさらに含まれる請求項１３に記載の装置。
【請求項１５】
前記特定モジュールは、具体的に、
前記スケジューリング割当情報に基づいて、所定の時間−周波数リソース最大有効回数を特定し、２以上の整数である前記時間−周波数リソース最大有効回数を前記予約回数とすることに用いられる請求項１４に記載の装置。
【請求項１６】
前記特定モジュールは、
前記スケジューリング割当情報に基づいて、所定の時間−周波数リソース最大有効回数を特定することに用いられる第１特定サブモジュールと、
２以上の整数である前記時間−周波数リソース最大有効回数と前記現在の余剰時間−周波数リソースの連続的占用の実際回数のうちの小さいほうの値を前記時間−周波数リソースの予約回数とすることに用いられる第２特定サブモジュールとを含む請求項１４に記載の装置。
【請求項１７】
前記特定モジュールは、具体的に、
前記現在の余剰時間−周波数リソースの連続的占用の有効回数を前記時間−周波数リソースの予約回数とすることに用いられ、
前記現在の余剰時間−周波数リソースの連続的占用の有効回数は、前記第１ユーザ機器が特定した現在の余剰時間−周波数リソースの連続的占用の実際回数と、２以上の整数である所定の時間−周波数リソース最大有効回数のうちの小さいほうの値である請求項１４に記載の装置。
【請求項１８】
前記第２処理モジュールは、具体的に、
前記時間−周波数リソースに関する新規のスケジューリング割当情報を前記第１ユーザ機器から連続的に受信しない回数が前記予約回数に達すると、前記時間−周波数リソースをアイドルリソースとすることに用いられる請求項１３に記載の装置。
【請求項１９】
前記第１ユーザ機器が予約すべき時間−周波数リソースの情報は、前記時間−周波数リソースの位置情報であり、
受信したスケジューリング割当情報の電力と受信した新規のスケジューリング割当情報の電力は、ともに所定値以上である請求項１３〜１８のいずれか一項に記載の装置。
【請求項２０】
予約すべき時間−周波数リソースの情報が含まれるスケジューリング割当情報を第２ユーザ機器に送信することに用いられる第１情報送信モジュールと、
引き続き前記時間−周波数リソースの予約が必要である場合、前記時間−周波数リソースに関する新規のスケジューリング割当情報を前記第２ユーザ機器に送信することに用いられる第２情報送信モジュールとを含むリソース予約装置。
【請求項２１】
前記スケジューリング割当情報に含まれる内容を特定することに用いられる情報特定モジュールをさらに含み、
前記スケジューリング割当情報には、時間−周波数リソース占用周期がさらに含まれ、または、
前記スケジューリング割当情報には、現在の余剰時間−周波数リソースの連続的占用の実際回数がさらに含まれ、または、
前記スケジューリング割当情報には、現在の余剰時間−周波数リソースの連続的占用の実際回数、時間−周波数リソース占用周期がさらに含まれ、または、
前記スケジューリング割当情報には、現在の余剰時間−周波数リソースの連続的占用の有効回数、時間−周波数リソース占用周期がさらに含まれる請求項２０に記載の装置。
【請求項２２】
前記現在の余剰時間−周波数リソースの連続的占用の実際回数は、前記時間−周波数リソースを利用したデータ伝送回数の逓増につれて逓減する請求項２１に記載の装置。
【請求項２３】
前記情報特定モジュールは、具体的に、
前記現在の余剰時間−周波数リソースの連続的占用の実際回数と、２以上の整数である所定の時間−周波数リソース最大有効回数のうちの小さいほうの値を、前記現在の余剰時間−周波数リソースの連続的占用の有効回数とすることに用いられる請求項２１に記載の装置。
【請求項２４】
受信機と、プロセッサと、前記プロセッサによる操作実行に用いられるデータを記憶することに用いられるメモリとを含むリソース予約装置において、
前記受信機は、第１ユーザ機器から送信されるスケジューリング割当情報であって、前記第１ユーザ機器が予約すべき時間−周波数リソースの情報を含むスケジューリング割当情報を受信することに用いられ、
前記プロセッサは、
前記受信機によって受信された前記スケジューリング割当情報に基づいて、前記第１ユーザ機器による前記時間−周波数リソースの予約回数を特定することと、
前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することと、
前記予約回数が失効する前に、前記第１ユーザ機器から送信される前記時間−周波数リソースに関する新規のスケジューリング割当情報を受信しなければ、前記時間−周波数リソースをアイドルリソースとすることに用いられるリソース予約装置。
【請求項２５】
送信機と、プロセッサと、前記プロセッサによる操作実行に用いられるデータを記憶することに用いられるメモリとを含むリソース予約装置において、
前記送信機は、予約すべき時間−周波数リソースの情報が含まれるスケジューリング割当情報を第２ユーザ機器に送信することと、
引き続き前記時間−周波数リソースの予約が必要であることを前記プロセッサによって特定すると、前記時間−周波数リソースに関する新規のスケジューリング割当情報を前記第２ユーザ機器に送信することに用いられるリソース予約装置。
【発明の詳細な説明】
【技術分野】
【０００１】
本開示は、ＩｏＶ（Ｉｎｔｅｒｎｅｔ  ｏｆ  Ｖｅｈｉｃｌｅｓ）の技術分野に係り、特にリソース予約方法および装置に係る。
【背景技術】
【０００２】
ＬＴＥ（Ｌｏｎｇ  Ｔｅｒｍ  Ｅｖｏｌｕｔｉｏｎ）システムにおいて、車輌間の直接通信方式は、通常、半連続式のリソース占用方式が用いられる。送信ユーザ機器ＵＥ（Ｕｓｅｒ  Ｅｑｕｉｐｍｅｎｔ）は、先にモニタリングしたスケジューリング割当情報ＳＡ（Ｓｃｈｅｄｕｌｉｎｇ  ａｓｓｉｇｎｍｅｎｔ）に基づいて、データ伝送のリソース占用指示を取得し、半連続式のリソース占用原則に基づいて、後のリソース占用状態を特定することによって、リソースの選択を行う。このような方式では、通常、後のリソース占用の期間、周期などの関連パラメータをＳＡに付帯させる必要がある。
【０００３】
ところで、ＩｏＶ通信において、車輌が常に運動中であるため、トポロジーの変化が比較的速く、後に一定期間のリソース占用が必要であると指示した送信ＵＥは、位置の変化によって、通信範囲内に位置しない可能性がある。予約占用リソースがリソース占用状態の変化に迅速に反映されなければ、リソース占用の誤警報を引き起こし、リソースの無駄遣いになる。
【０００４】
一方、ＩｏＶ通信において、周期的なラージパケット伝送および周期的なスモールパケット伝送が含まれる。ラージパケットは、完全なセキュリティ証明書情報を含む必要があり、その有効期間が例えば５００ｍｓとされている。スモールパケットにはセキュリティ証明書の署名情報のみを含んでもよく、当該署名情報は、完全なセキュリティ証明書を受信した後の一定期間（例えば５００ｍｓ）にのみ有効である。例えば、ＩｏＶ通信において、データが１００ｍｓ周期で送信されると、データ伝送は、１つのラージパケットの伝送後に４つのスモールパケットを伝送する。このような場合、ラージパケットとスモールパケットの伝送周期は、実質上異なる。ラージパケット伝送の周期が５００ｍｓであるが、スモールパケット伝送の周期は、１００ｍｓである。しかも、ラージパケットデータ伝送に占用される時間−周波数リソースと、スモールパケットデータ伝送に占用される時間−周波数リソースとは異なる。
【０００５】
図１に示すように、１つのＵＥ２が１つ前の１００ｍｓ内に受信したのは、スモールパケットのＳＡ（Ｓｃｈｅｄｕｌｉｎｇ  ａｓｓｉｇｎｍｅｎｔ）であれば、リソース予約周期が１００ｍｓであるが、現在の１００ｍｓ内に受信したのは、ラージパケットのＳＡであり、リソース予約周期が５００ｍｓであり、しかも当該２つのデータパケットは、ともにＵＥ１から送信される。ＵＥ２は、リソース占用状況を認知することによって、後のリソース占用状況がラージパケットのＳＡでの指示によって特定され、かつ周期が５００ｍｓであると認知する。このように、スモールパケット伝送のリソース予約情報が紛失し（図１で破線枠で示されるリソース）、リソース占用に対するＵＥ２の誤判定を引き起こし、リソース衝突が生じる。
【発明の概要】
【発明が解決しようとする課題】
【０００６】
これに鑑み、本開示は、車輌間の予約リソース占用の誤警報および誤判定問題を解決してリソース割当効率を向上させるためのリソース予約方法および装置を提供する。
【課題を解決するための手段】
【０００７】
上記技術問題を解決するために、本開示は、リソース予約方法を提供する。当該方法は、第１ユーザ機器から送信されるスケジューリング割当情報であって、前記第１ユーザ機器が予約すべき時間−周波数リソースの情報を含むスケジューリング割当情報を受信することと、前記スケジューリング割当情報に基づいて、前記第１ユーザ機器による前記時間−周波数リソースの予約回数を特定することと、前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することと、前記予約回数が失効する前に、前記第１ユーザ機器から送信される前記時間−周波数リソースに関する新規のスケジューリング割当情報を受信しなければ、前記時間−周波数リソースをアイドルリソースとすることとを含む。
【０００８】
ここで、前記スケジューリング割当情報には、時間−周波数リソース占用周期がさらに含まれる。または、前記スケジューリング割当情報には、現在の余剰時間−周波数リソースの連続的占用の実際回数がさらに含まれる。または、前記スケジューリング割当情報には、現在の余剰時間−周波数リソースの連続的占用の実際回数、時間−周波数リソース占用周期がさらに含まれる。または、前記スケジューリング割当情報には、現在の余剰時間−周波数リソースの連続的占用の有効回数、時間−周波数リソース占用周期がさらに含まれる。
【０００９】
ここで、前記スケジューリング割当情報に基づいて、前記第１ユーザ機器による前記時間−周波数リソースの予約回数を特定することは、前記スケジューリング割当情報に基づいて、所定の時間−周波数リソース最大有効回数を特定し、２以上の整数である前記時間−周波数リソース最大有効回数を前記予約回数とすることを含む。
【００１０】
ここで、前記スケジューリング割当情報に基づいて、前記第１ユーザ機器による前記時間−周波数リソースの予約回数を特定することは、前記スケジューリング割当情報に基づいて、所定の時間−周波数リソース最大有効回数を特定することと、２以上の整数である前記時間−周波数リソース最大有効回数と前記現在の余剰時間−周波数リソースの連続的占用の実際回数のうちの小さいほうの値を前記時間−周波数リソースの予約回数とすることとを含む。
【００１１】
ここで、前記スケジューリング割当情報に基づいて、前記第１ユーザ機器による前記時間−周波数リソースの予約回数を特定することは、前記現在の余剰時間−周波数リソースの連続的占用の有効回数を前記時間−周波数リソースの予約回数とすることを含む。前記現在の余剰時間−周波数リソースの連続的占用の有効回数は、前記第１ユーザ機器が特定した現在の余剰時間−周波数リソースの連続的占用の実際回数と、２以上の整数である所定の時間−周波数リソース最大有効回数のうちの小さいほうの値である。
【００１２】
ここで、前記予約回数が失効する前に、前記第１ユーザ機器から送信される前記時間−周波数リソースに関する新規のスケジューリング割当情報を受信しなければ、前記時間−周波数リソースをアイドルリソースとすることは、具体的に、前記時間−周波数リソースに関する新規のスケジューリング割当情報を前記第１ユーザ機器から連続的に受信しない回数が前記予約回数に達すると、前記時間−周波数リソースをアイドルリソースとする。
【００１３】
ここで、前記第１ユーザ機器が予約すべき時間−周波数リソースの情報は、前記時間−周波数リソースの位置情報である。
【００１４】
ここで、受信したスケジューリング割当情報の電力と受信した新規のスケジューリング割当情報の電力は、ともに所定値以上である。
【００１５】
第２態様として、本開示は、リソース予約方法を提供する。当該方法は、予約すべき時間−周波数リソースの情報が含まれるスケジューリング割当情報を第２ユーザ機器に送信することと、引き続き前記時間−周波数リソースの予約が必要である場合、前記時間−周波数リソースに関する新規のスケジューリング割当情報を前記第２ユーザ機器に送信することとを含む。
【００１６】
ここで、前記スケジューリング割当情報には、時間−周波数リソース占用周期がさらに含まれる。または、前記スケジューリング割当情報には、現在の余剰時間−周波数リソースの連続的占用の実際回数がさらに含まれる。または、前記スケジューリング割当情報には、現在の余剰時間−周波数リソースの連続的占用の実際回数、時間−周波数リソース占用周期がさらに含まれる。または、前記スケジューリング割当情報には、現在の余剰時間−周波数リソースの連続的占用の有効回数、時間−周波数リソース占用周期がさらに含まれる。
【００１７】
ここで、前記現在の余剰時間−周波数リソースの連続的占用の実際回数は、前記時間−周波数リソースを利用したデータ伝送回数の逓増につれて逓減する。
【００１８】
ここで、前記現在の余剰時間−周波数リソースの連続的占用の有効回数は、前記現在の余剰時間−周波数リソースの連続的占用の実際回数と、２以上の整数である所定の時間−周波数リソース最大有効回数のうちの小さいほうの値である。
【００１９】
第３態様として、本開示は、リソース予約装置を提供する。当該装置は、第１ユーザ機器から送信されるスケジューリング割当情報であって、前記第１ユーザ機器が予約すべき時間−周波数リソースの情報を含むスケジューリング割当情報を受信することに用いられる受信モジュールと、前記スケジューリング割当情報に基づいて、前記第１ユーザ機器による前記時間−周波数リソースの予約回数を特定することに用いられる特定モジュールと、前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することに用いられる第１処理モジュールと、前記予約回数が失効する前に、前記第１ユーザ機器から送信される前記時間−周波数リソースに関する新規のスケジューリング割当情報を受信しなければ、前記時間−周波数リソースをアイドルリソースとすることに用いられる第２処理モジュールとを含む。
【００２０】
ここで、前記スケジューリング割当情報には、時間−周波数リソース占用周期がさらに含まれる。または、前記スケジューリング割当情報には、現在の余剰時間−周波数リソースの連続的占用の実際回数がさらに含まれる。または、前記スケジューリング割当情報には、現在の余剰時間−周波数リソースの連続的占用の実際回数、時間−周波数リソース占用周期がさらに含まれる。または、前記スケジューリング割当情報には、現在の余剰時間−周波数リソースの連続的占用の有効回数、時間−周波数リソース占用周期がさらに含まれる。
【００２１】
ここで、前記特定モジュールは、具体的に、前記スケジューリング割当情報に基づいて、所定の時間−周波数リソース最大有効回数を特定し、２以上の整数である前記時間−周波数リソース最大有効回数を前記予約回数とすることに用いられる。
【００２２】
ここで、前記特定モジュールは、前記スケジューリング割当情報に基づいて、所定の時間−周波数リソース最大有効回数を特定することに用いられる第１特定サブモジュールと、２以上の整数である前記時間−周波数リソース最大有効回数と前記現在の余剰時間−周波数リソースの連続的占用の実際回数のうちの小さいほうの値を前記時間−周波数リソースの予約回数とすることに用いられる第２特定サブモジュールとを含む。
【００２３】
ここで、前記特定モジュールは、具体的に、前記現在の余剰時間−周波数リソースの連続的占用の有効回数を前記時間−周波数リソースの予約回数とすることに用いられる。前記現在の余剰時間−周波数リソースの連続的占用の有効回数は、前記第１ユーザ機器が特定した現在の余剰時間−周波数リソースの連続的占用の実際回数と、２以上の整数である所定の時間−周波数リソース最大有効回数のうちの小さいほうの値である。
【００２４】
ここで、前記第２処理モジュールは、具体的に、前記時間−周波数リソースに関する新規のスケジューリング割当情報を前記第１ユーザ機器から連続的に受信しない回数が前記予約回数に達すると、前記時間−周波数リソースをアイドルリソースとすることに用いられる。
【００２５】
ここで、前記第１ユーザ機器が予約すべき時間−周波数リソースの情報は、前記時間−周波数リソースの位置情報であり、受信したスケジューリング割当情報の電力と受信した新規のスケジューリング割当情報の電力は、ともに所定値以上である。
【００２６】
第４態様として、本開示は、リソース予約装置を提供する。当該装置は、予約すべき時間−周波数リソースの情報が含まれるスケジューリング割当情報を第２ユーザ機器に送信することに用いられる第１情報送信モジュールと、引き続き前記時間−周波数リソースの予約が必要である場合、前記時間−周波数リソースに関する新規のスケジューリング割当情報を前記第２ユーザ機器に送信することに用いられる第２情報送信モジュールとを含む。
【００２７】
ここで、前記装置は、前記スケジューリング割当情報に含まれる内容を特定することに用いられる情報特定モジュールをさらに含む。前記スケジューリング割当情報には、時間−周波数リソース占用周期がさらに含まれる。または、前記スケジューリング割当情報には、現在の余剰時間−周波数リソースの連続的占用の実際回数がさらに含まれる。または、前記スケジューリング割当情報には、現在の余剰時間−周波数リソースの連続的占用の実際回数、時間−周波数リソース占用周期がさらに含まれる。または、前記スケジューリング割当情報には、現在の余剰時間−周波数リソースの連続的占用の有効回数、時間−周波数リソース占用周期がさらに含まれる。
【００２８】
ここで、前記現在の余剰時間−周波数リソースの連続的占用の実際回数は、前記時間−周波数リソースを利用したデータ伝送回数の逓増につれて逓減する。
【００２９】
ここで、前記情報特定モジュールは、具体的に、前記現在の余剰時間−周波数リソースの連続的占用の実際回数と、２以上の整数である所定の時間−周波数リソース最大有効回数のうちの小さいほうの値を、前記現在の余剰時間−周波数リソースの連続的占用の有効回数とすることに用いられる。
【００３０】
第５態様として、本開示は、リソース予約装置を提供する。当該装置は、受信機と、プロセッサと、前記プロセッサによる操作実行に用いられるデータを記憶することに用いられるメモリとを含む。前記受信機は、第１ユーザ機器から送信されるスケジューリング割当情報であって、前記第１ユーザ機器が予約すべき時間−周波数リソースの情報を含むスケジューリング割当情報を受信することに用いられる。前記プロセッサは、前記受信機によって受信された前記スケジューリング割当情報に基づいて、前記第１ユーザ機器による前記時間−周波数リソースの予約回数を特定することと、前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することと、前記予約回数が失効する前に、前記第１ユーザ機器から送信される前記時間−周波数リソースに関する新規のスケジューリング割当情報を受信しなければ、前記時間−周波数リソースをアイドルリソースとすることに用いられる。
【００３１】
第６態様として、本開示は、リソース予約装置を提供する。当該装置は、送信機と、プロセッサと、前記プロセッサによる操作実行に用いられるデータを記憶することに用いられるメモリとを含む。前記送信機は、予約すべき時間−周波数リソースの情報が含まれるスケジューリング割当情報を第２ユーザ機器に送信することと、引き続き前記時間−周波数リソースの予約が必要であることを前記プロセッサによって特定すると、前記時間−周波数リソースに関する新規のスケジューリング割当情報を前記第２ユーザ機器に送信することに用いられる。
【発明の効果】
【００３２】
本開示の実施例において、第２ユーザ機器は、第１ユーザ機器のスケジューリング割当情報を受信した後に、当該スケジューリング割当情報に基づいて、第１ユーザ機器による前記時間−周波数リソースの予約回数を特定し、予約回数が失効する前に、第１ユーザ機器の新規のスケジューリング割当情報を受信したかに応じて、第１ユーザ機器が予約した時間−周波数リソースの利用可否を特定する。したがって、本開示の実施例によれば、第１ユーザ機器の予約リソースに対する占用状況を迅速に取得することができ、当該予約リソースに対し相応な処理を行うことによって、予約リソースに対する誤警報や誤判定が避けられ、リソース割当効率が向上する。
【図面の簡単な説明】
【００３３】
【図１】従来技術のリソース予約を示す模式図である。
【図２】従来技術のリソース選択を示す模式図である。
【図３】本開示の実施例１のリソース予約方法のフローチャートである。
【図４】本開示の実施例２のリソース予約方法のフローチャートである。
【図５】本開示の実施例１または実施例２のリソース予約方法によるリソース予約を示す模式図である。
【図６】本開示の実施例１または実施例２のリソース予約方法によるリソース予約を示す模式図である。
【図７】本開示の実施例１または実施例２のリソース予約方法によるリソース予約を示す模式図である。
【図８】本開示の実施例１または実施例２のリソース予約方法によるリソース予約を示す模式図である。
【図９】本開示の実施例３のリソース予約方法のフローチャートである。
【図１０】本開示の実施例４のリソース予約装置の構造図である。
【図１１】本開示の実施例５のリソース予約装置の構造図である。
【図１２】本開示の実施例５のリソース予約装置を示す模式図である。
【図１３】本開示の一部実施例のリソース予約装置を示す模式図である。
【図１４】本開示の一部実施例のリソース予約装置を示す模式図である。
【発明を実施するための形態】
【００３４】
以下、図面と実施例に関連して本開示の具体的な実施形態をさらに詳細に記載する。以下の実施例は、本開示を説明するためのものであり、本開示の範囲に対する限定に用いられない。
【００３５】
現在、ＬＴＥ−ｂａｓｅｄ  Ｖ２Ｖ（車輌−車輌）技術は、ＬＴＥ  Ｄ２Ｄ（Ｄｅｖｉｃｅ  ｔｏ  Ｄｅｖｉｃｅ；ＬＴＥ  Ｄｉｒｅｃｔ）方式に基づいて改良されるものであり、制御情報（ＳＡ）とデータ情報（Ｄａｔａ）が異なるチャネルで伝送される。受信側において、まず制御情報に付帯されているＳＡ情報を検出し、受信した制御情報に基づいて、データ情報を受信する。
【００３６】
ＬＴＥ−ｂａｓｅｄ  Ｖ２Ｖ技術において、ＵＥの自発的リソース選択方式と、基地局に支援されるリソース選択方式との２種類のリソース選択方式がある。後者の場合、車輌がネットワーク内に位置すると、基地局は、ダウンリンク制御チャネル（ＰＤＣＣＨ／ＥＰＤＣＣＨ）によってＶ２Ｖ通信をスケジューリングする。この場合、基地局は、Ｖ２Ｖ  ｇｒａｎｔメッセージを送信することによって、送信車輌に対し、ＳＡとｄａｔａのリソース位置を送信するように指示する。
【００３７】
ＵＥの自発的リソース選択方式において、ＵＥは、リソースの選択を行うには、リソースの占用状況を認知する必要がある。通常下記２種類の方式がある。方式１として、他ＵＥから受信したＳＡ情報に基づいて、他ＵＥのデータ伝送リソース占用指示を取得して、占用されていないデータリソースから伝送リソースを選択する。方式２として、データ伝送リソースに対し直接エネルギーの検出を行い、エネルギーが一定の閾値より高くなると、対応するデータリソースが占用されていると見なされ、これをもとに、占用されていないデータリソースを選択してデータ伝送を行う。方式１の場合、データ伝送と、関連ＳＡ伝送が同一サブフレームに位置すれば、ＵＥは、現在の認知に基づいて、後の一定期間内にリソースが占用されるかを特定する必要がある。したがって、将来の一定期間内のデータリソース占用状況を特定するには、データ伝送の連続的占用の時間または周期を取得する必要がある。同様に、データリソースに基づくエネルギー検出に対しても、将来の一定期間内のデータリソース占用状況を特定するには、データ伝送の連続的占用の時間または周期を取得する必要がある。
【００３８】
簡単に言えば、図２に示すように、ＵＥは、将来のＮ個のサブフレームでアイドル状態の周波数領域リソースを選択して伝送を行うには、エネルギー検出またはＳＡ検出およびデータ伝送のリソース連続的占用の時間または周期に基づいて、将来のＮ個のサブフレームのリソース占用状況を構築する必要がある。図では、ＵＥ１、ＵＥ２、ＵＥ３のデータリソース占用状況が示され、ＵＥ４は、データ伝送を行う必要がある場合、アイドル状態のリソースからリソースを選択する。または、エネルギー検出方式によって、どのサブフレームでの干渉が最小であるかを取得し、最小干渉のサブフレームを選択してもよい。図２では、ＵＥ４は、最初のサブフレームと最後のサブフレームを選択してデータリソースの伝送を行う。
【００３９】
図３に示すように、本開示の実施例１のリソース予約方法は、第２ユーザ機器によって実行され、下記ステップを含む。
【００４０】
ステップ１０１において、第１ユーザ機器から送信されるスケジューリング割当情報を受信する。
【００４１】
ここで、前記第１ユーザ機器とは、スケジューリング割当情報を送信するユーザ機器を指す。以下の記載において、第２ユーザ機器は、スケジューリング割当情報を受信するユーザ機器を示す。
【００４２】
具体的な応用において、前記スケジューリング割当情報に含まれる情報は、下記（１）〜（５）である可能性がある。
（１）第１ユーザ機器が予約すべき時間−周波数リソースの情報。
（２）第１ユーザ機器が予約すべき時間−周波数リソースの情報、時間−周波数リソース占用周期。
（３）第１ユーザ機器が予約すべき時間−周波数リソースの情報、現在の余剰時間−周波数リソースの連続的占用の実際回数。
（４）第１ユーザ機器が予約すべき時間−周波数リソースの情報、時間−周波数リソース占用周期、現在の余剰時間−周波数リソースの連続的占用の実際回数。
（５）第１ユーザ機器が予約すべき時間−周波数リソースの情報、現在の余剰時間−周波数リソースの連続的占用の有効回数、時間−周波数リソース占用周期。
【００４３】
ここで、前記第１ユーザ機器が予約すべき時間−周波数リソースの情報は、前記時間−周波数リソースの位置情報である。
【００４４】
ステップ１０２において、前記スケジューリング割当情報に基づいて、前記第１ユーザ機器による前記時間−周波数リソースの予約回数を特定する。
【００４５】
ステップ１０１で異なる内容が含まれるスケジューリング割当情報に対し、本開示の実施例において、異なる方式によって、第１ユーザ機器による前記時間−周波数リソースの予約回数を特定する。
【００４６】
ステップ１０１での（１）と（２）の場合、具体的な応用において、第２ユーザ機器は、前記スケジューリング割当情報に基づいて、所定の時間−周波数リソース最大有効回数を特定し、前記時間−周波数リソース最大有効回数を前記予約回数とする。ここで、前記時間−周波数リソース最大有効回数は、２以上の整数である。
【００４７】
相違点として、（１）の場合、前記所定の時間−周波数リソース最大有効回数は、所定の時間−周波数リソース最大有効時間を所定の時間−周波数リソース占用周期で割った商に等しいが、（２）の場合、前記所定の時間−周波数リソース最大有効回数は、所定の時間−周波数リソース最大有効時間を、スケジューリング割当情報に含まれる時間−周波数リソース占用周期で割った商に等しい。
【００４８】
ステップ１０１での（３）と（４）の場合、具体的な応用において、第２ユーザ機器は、前記スケジューリング割当情報に基づいて、所定の時間−周波数リソース最大有効回数を特定し、前記時間−周波数リソース最大有効回数と前記現在の余剰時間−周波数リソースの連続的占用の実際回数のうちの小さいほうの値を前記時間−周波数リソースの予約回数とする。ここで、前記時間−周波数リソース最大有効回数は、２以上の整数である。
【００４９】
相違点として、（３）の場合、前記所定の時間−周波数リソース最大有効回数は、所定の時間−周波数リソース最大有効時間を所定の時間−周波数リソース占用周期で割った商に等しいが、（４）の場合、前記所定の時間−周波数リソース最大有効回数は、所定の時間−周波数リソース最大有効時間を、前記スケジューリング割当情報に含まれる時間−周波数リソース占用周期で割った商に等しい。
【００５０】
ステップ１０１での（５）の場合、具体的な応用において、第２ユーザ機器は、前記現在の余剰時間−周波数リソースの連続的占用の有効回数を前記時間−周波数リソースの予約回数とする。ここで、前記現在の余剰時間−周波数リソースの連続的占用の有効回数は、前記第１ユーザ機器が特定した現在の余剰時間−周波数リソースの連続的占用の実際回数と、所定の時間−周波数リソース最大有効回数のうちの小さいほうの値である。
【００５１】
上記記載において、前記現在の余剰時間−周波数リソースの連続的占用の実際回数は、現在の余剰時間−周波数リソースの連続的占用の実際時間を時間−周波数リソース占用周期で割った商に等しい。
【００５２】
ステップ１０３において、前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定する。
【００５３】
ステップ１０４において、前記予約回数が失効する前に、前記第１ユーザ機器から送信される前記時間−周波数リソースに関する新規のスケジューリング割当情報を受信しなければ、前記時間−周波数リソースをアイドルリソースとする。
【００５４】
具体的な応用において、前記スケジューリング割当情報には有効期間が存在するが、当該有効期間は、予約回数で示されてもよい。予約回数は、予約時間に変換できるため、有効期間も、予約時間で示されてもよい。
【００５５】
ここで予約回数は、ステップ１０１の後に、第２ユーザ機器の新規のスケジューリング割当情報を連続的に受信しない回数を示す。「予約回数が失効する」とは、第２ユーザ機器の新規のスケジューリング割当情報を連続的に受信しない回数が当該予約回数に達した値を指す。
【００５６】
具体的に、当該ステップにおいて、前記時間−周波数リソースに関する新規のスケジューリング割当情報を前記第１ユーザ機器から受信しない回数が前記予約回数に達すると、予約回数が失効し、前記時間−周波数リソースをアイドルリソースとする。そうでなければ、前記新規のスケジューリング割当情報に基づいて、前記時間−周波数リソースに対する予約情報を改めて特定する。
【００５７】
以上の記載によれば、本開示の実施例において、第２ユーザ機器は、第１ユーザ機器のスケジューリング割当情報を受信した後に、当該スケジューリング割当情報に基づいて、第１ユーザ機器による前記時間−周波数リソースの予約回数を特定し、予約回数が失効する前に、第１ユーザ機器の新規のスケジューリング割当情報を受信したかに応じて、第１ユーザ機器が予約した時間−周波数リソースの利用可否を特定する。したがって、本開示の実施例によれば、第１ユーザ機器の予約リソースに対する占用状況を迅速に取得することができ、当該予約リソースに対し相応な処理を行うことによって、従来技術の予約リソースに対する誤警報や誤判定が避けられ、リソース割当効率が向上する。
【００５８】
図４に示すように、本開示の実施例２のリソース予約方法は、下記ステップを含む。
【００５９】
ステップ２０１において、ＵＥ２は、ＵＥ１から送信されるスケジューリング割当情報を受信する。
【００６０】
仮に、ＵＥ２は、ＵＥ１から送信されるＳＡ情報をｔ１時刻で受信する。ＵＥ１から送信されるＳＡ情報に含まれる情報は、下記である。
（１）時間−周波数リソースの位置情報Ｒ。
（２）時間−周波数リソースの位置情報Ｒ、時間−周波数リソース占用周期指示Ｔ＿ｐ。
（３）時間−周波数リソースの位置情報Ｒ、現在の余剰時間−周波数リソースの連続的占用の実際回数Ｎ２。
（４）時間−周波数リソースの位置情報Ｒ、時間−周波数リソース占用周期指示Ｔ＿ｐ、現在の余剰時間−周波数リソースの連続的占用の実際回数Ｎ２。ＵＥ１が予約中の時間−周波数リソースＲを占用してデータ伝送をするたびに、Ｎ２の回数から１を減算される。Ｎ２の初期値は、ＵＥ１が初めて時間−周波数リソースＲを割り当てる際に特定したものである。
（５）時間−周波数リソースの位置情報Ｒ、時間−周波数リソース占用周期指示Ｔ＿ｐ、現在の余剰時間−周波数リソースの連続的占用の有効回数Ｎ４。
【００６１】
ＵＥ１は、Ｎ４の値を特定する際に、現在の余剰時間−周波数リソースの連続的占用の実際回数Ｎ２および受信側ＵＥ２が認知する時間−周波数リソース最大有効回数Ｎ３を考慮する必要がある。
Ｎ４＝ｍｉｎ（Ｎ２，Ｎ３）
ここでＮ３≧２である。
このような方式の方法を用いる利点は、主に、シグナリングコストの節約が可能である。
【００６２】
上記過程において、ＵＥ２は、時間−周波数リソース最大有効回数Ｎ３または時間−周波数リソース最大有効時間Ｔ３（Ｔ３＝Ｔ＿ｐ＊Ｎ３）を、配置に基づいて特定するか、予め特定する。
【００６３】
上記過程において、ＵＥ１は、初めて時間−周波数リソースＲを占用する際に、時間−周波数リソースＲの連続的占用の時間Ｔ２（Ｔ２＝Ｔ＿ｐ＊Ｎ２）または時間−周波数リソースＲの連続的占用の回数Ｎ２の初期値を特定する必要がある。ＵＥ１が予約中の時間−周波数リソースＲを占用してデータ伝送をするたびに、Ｎ２から１を減算される。Ｎ２が０に減算されると、リソースの再選択を行う。
【００６４】
ここで、現在の余剰時間−周波数リソースの連続的占用の実際回数は、現在の伝送回数を含んでもよく、含まなくてもよい。相違点として、現在の伝送回数が含まれる場合、現在の余剰時間−周波数リソースの連続的占用の実際回数は、現在の伝送回数が含まれない場合の余剰回数より、１回多い。本開示の実施例は、現在の伝送回数が含まれていないことを例として記載される。
【００６５】
ステップ２０２において、ＵＥ２は、ＵＥ１による前記時間−周波数リソースの予約回数Ｎ１を特定する。
【００６６】
上記（１）と（２）の場合、ＵＥ２は、所定の時間−周波数リソース最大有効回数Ｎ３を取得し、当該時間−周波数リソース最大有効回数を予約回数とする。ここで、時間−周波数リソース最大有効回数は、２以上の整数である。すなわち、ここでＮ１＝Ｎ３。
【００６７】
上記（３）と（４）の場合、ＵＥ２は、所定の時間−周波数リソース最大有効回数を取得し、当該時間−周波数リソース最大有効回数Ｎ３と、現在の余剰時間−周波数リソースの連続的占用の実際回数Ｎのうちの小さいほうの値を予約回数とする。すなわち、ここでＮ１＝ｍｉｎ（Ｎ２，Ｎ３）である。
【００６８】
上記（５）の場合、ＵＥ２は、現在の余剰時間−周波数リソースの連続的占用の有効回数を予約回数とする。すなわち、ここで、
Ｎ１＝Ｎ４
Ｎ４＝ｍｉｎ（Ｎ２，Ｎ３）
ここでＮ３≧２である。
【００６９】
ステップ２０３において、ＵＥ２は、ＵＥ１から、現在の時間−周波数リソースＲの占用情報を指示するＳＡを連続Ｎ１回受信しなければ、現在の時間−周波数リソースＲを、失効したものとし、アイドルリソースとして識別する。そうでなければ、受信した新規のＳＡに基づいて、ＵＥ１による時間−周波数リソースＲの占用情報を改めて特定する。
【００７０】
さらに、上記過程において、ＵＥ２が受信したＵＥ１のＳＡ情報（ステップ２０１のＳＡ情報であってもステップ２０２の新規のＳＡ情報であっても）として、後のリソース予約が可能か否かは、一定の条件を満たす必要がある。例えば、ＵＥ２が受信したＵＥ１のＳＡの電力は、一定の閾値より高くなる必要がある。当該閾値は、経験に基づいて設定される。
【００７１】
以上の記載によれば、本開示の実施例において、第２ユーザ機器は、第１ユーザ機器のスケジューリング割当情報を受信した後に、当該スケジューリング割当情報に基づいて、第１ユーザ機器による前記時間−周波数リソースの予約回数を特定し、予約回数が失効する前に、第１ユーザ機器の新規のスケジューリング割当情報を受信したかに応じて、第１ユーザ機器が予約した時間−周波数リソースの利用可否を特定する。したがって、本開示の実施例によれば、第１ユーザ機器の予約リソースに対する占用状況を迅速に取得することができ、当該予約リソースに対し相応な処理を行うことによって、予約リソースに対する誤警報や誤判定が避けられ、リソース割当効率が向上する。
【００７２】
図５に示すように、ＵＥ１のＳＡにおいて、ステップ２０１の（４）の方式によってＵＥ２に指示する。ここで、時間−周波数リソース占用周期Ｔ＿ｐ＝１００ｍｓ、時間−周波数リソースの位置情報Ｒ、現在の余剰時間−周波数リソースの連続的占用の実際回数Ｎ２＝５とする。仮にＵＥ１の時間−周波数リソース最大有効回数Ｎ３＝２とする。すると、ＵＥ１は、Ｎ１＝２と特定する。
【００７３】
ＵＥ１は、Ｔａ時刻より前の余剰伝送回数が５である。仮にＵＥ１がＴａ時刻においてＵＥ２の通信範囲から離れ、後に、ＵＥ２は、ＵＥ１から送信されるＳＡの受信ができない。すると、Ｎ１によれば、ＵＥ２は、Ｔａ時刻において、後に２つの時間−周波数リソース周期内にＵＥ１が引き続き現在の時間−周波数リソースを占用し、すなわちＴｂ時刻より前に現在の時間−周波数リソースＲを占用すると認知する。すると、ＵＥ１から送信されるＳＡ情報をＴｂ時刻より前に、すなわちＴａ時刻の後の連続２つの時間−周波数リソース周期内に受信しなければ、ＵＥ２は、Ｔｂ時刻の後に、当該時間−周波数リソースがアイドル状態であると認知する。
【００７４】
図６、図７に示すように、ＵＥ１のＳＡにおいて、ステップ２０１の（４）の方式でＵＥ２に指示する。スモールパケット時間−周波数リソース占用周期Ｔ＿ｐ１＝１００ｍｓ、ラージパケット時間−周波数リソース占用周期Ｔ＿ｐ２＝５００ｍｓ、時間−周波数リソースの位置情報Ｒ、現在の余剰時間−周波数リソースの連続的占用の実際回数Ｎ２＝８とする。ＵＥ２は、時間−周波数リソース最大有効回数Ｎ３＝２から、Ｎ１＝２と特定する。
【００７５】
仮に、ＵＥ２は、Ｔａ時刻より前の１つの時間−周波数リソース周期１００ｍｓ内にスモールパケットのリソース占用情報を受信しないとする。図６に示すように、この場合、スモールパケットの時間−周波数リソースは、Ｔａ時刻において余剰回数が１である。すると、Ｔａの次の１００ｍｓ内に、引き続き、占用されると識別される。Ｔｂ時刻において、ＵＥ２は、スモールパケットリソース占用を指示する新規のＳＡ情報を受信し、図７に示すように、当該ＳＡでＮ２＝６と指示する。この場合、少なくともＵＥ１の時間−周波数リソース最大有効回数Ｎ３≧２が求められる。そうでなければ、Ｔａ時刻の後の初めてのＴ＿ｐ１でリソース衝突が生じることを引き起こす。
【００７６】
図８に示すように、ＵＥ１のＳＡにおいて、スモールパケット時間−周波数リソース占用周期Ｔ＿ｐ１＝１００ｍｓ、ラージパケット時間−周波数リソース占用周期Ｔ＿ｐ２＝５００ｍｓ、時間−周波数リソースの位置情報Ｒ、現在の余剰時間−周波数リソースの連続的占用の実際回数Ｎ２＝１とする。ＵＥ１は、Ｔａ時刻より前の２つの時間−周波数リソース周期２００ｍｓ内に、スモールパケットリソース占用を指示するＳＡ情報を受信し、かつ余剰伝送回数が１である。すると、Ｎ１＝１である。Ｔａ時刻において、ＵＥ１は、現在時刻で全てのスモールパケットリソースがアイドル状態であると認知する。
【００７７】
図９に示すように、本開示の実施例３のリソース予約方法は、第１ユーザ機器によって実行され、下記ステップを含む。
【００７８】
ステップ３０１において、スケジューリング割当情報を第２ユーザ機器に送信する。
【００７９】
具体的な応用において、前記スケジューリング割当情報に含まれる情報は、下記である可能性がる。
（１）第１ユーザ機器の予約すべき時間−周波数リソースの情報。
（２）第１ユーザ機器の予約すべき時間−周波数リソースの情報、時間−周波数リソース占用周期。
（３）第１ユーザ機器の予約すべき時間−周波数リソースの情報、現在の余剰時間−周波数リソースの連続的占用の実際回数。
（４）第１ユーザ機器の予約すべき時間−周波数リソースの情報、時間−周波数リソース占用周期、現在の余剰時間−周波数リソースの連続的占用の実際回数。
（５）第１ユーザ機器の予約すべき時間−周波数リソースの情報、現在の余剰時間−周波数リソースの連続的占用の有効回数、時間−周波数リソース占用周期。
【００８０】
ステップ３０２において、引き続き前記時間−周波数リソースの予約が必要である場合、前記時間−周波数リソースに関する新規のスケジューリング割当情報を前記第２ユーザ機器に送信する。
【００８１】
このように、第２ユーザ機器は、受信した前記新規のスケジューリング割当情報に応じて、第１ユーザ機器が予約した時間−周波数リソースの占用状況を判断することができる。
【００８２】
具体的に、第２ユーザ機器は、自身で特定した予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定する。第２ユーザ機器は、前記予約回数が失効する前に、前記第１ユーザ機器から送信される前記時間−周波数リソースに関する新規のスケジューリング割当情報を受信しなければ、前記時間−周波数リソースをアイドルリソースとする。
【００８３】
ここで、前記現在の余剰時間−周波数リソースの連続的占用の実際回数は、前記時間−周波数リソースを利用したデータ伝送回数の逓増につれて逓減する。例えば、ステップ３０１でＳＡを送信した後に、ステップ３０２でもＳＡの送信が必要である場合、ステップ３０２のＳＡに含まれる現在の余剰時間−周波数リソースの連続的占用の実際回数は、ステップ３０１で含まれる現在の余剰時間−周波数リソースの連続的占用の実際回数から時間−周波数リソースを利用したデータ伝送回数を減算したものに等しい。
【００８４】
ここで、前記現在の余剰時間−周波数リソースの連続的占用の有効回数は、前記現在の余剰時間−周波数リソースの連続的占用の実際回数と、所定の時間−周波数リソース最大有効回数のうちの小さいほうの値である。前記所定の時間−周波数リソース最大有効回数は、２以上の整数である。
【００８５】
以上の記載によれば、本開示の実施例において、第２ユーザ機器は、第１ユーザ機器のスケジューリング割当情報を受信した後に、当該スケジューリング割当情報に基づいて、第１ユーザ機器による前記時間−周波数リソースの予約回数を特定し、予約回数が失効する前に、第１ユーザ機器の新規のスケジューリング割当情報を受信したかに応じて、第１ユーザ機器が予約した時間−周波数リソースの利用可否を特定する。したがって、本開示の実施例によれば、第１ユーザ機器の予約リソースに対する占用状況を迅速に取得することができ、当該予約リソースに対し相応な処理を行うことによって、予約リソースに対する誤警報や誤判定が避けられ、リソース割当効率が向上する。
【００８６】
図１０に示すように、本開示の実施例４のリソース予約装置は、第１ユーザ機器から送信されるスケジューリング割当情報であって、前記第１ユーザ機器が予約すべき時間−周波数リソースの情報を含むスケジューリング割当情報を受信することに用いられる受信モジュール４０１と、前記スケジューリング割当情報に基づいて、前記第１ユーザ機器による前記時間−周波数リソースの予約回数を特定することに用いられる特定モジュール４０２と、前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することに用いられる第１処理モジュール４０３と、前記予約回数が失効する前に、前記第１ユーザ機器から送信される前記時間−周波数リソースに関する新規のスケジューリング割当情報を受信しなければ、前記時間−周波数リソースをアイドルリソースとすることに用いられる第２処理モジュール４０４とを含む。
【００８７】
ここで、前記スケジューリング割当情報には、時間−周波数リソース占用周期がさらに含まれる。または、前記スケジューリング割当情報には、現在の余剰時間−周波数リソースの連続的占用の実際回数がさらに含まれる。または、前記スケジューリング割当情報には、現在の余剰時間−周波数リソースの連続的占用の実際回数、時間−周波数リソース占用周期がさらに含まれる。または、前記スケジューリング割当情報には、現在の余剰時間−周波数リソースの連続的占用の有効回数、時間−周波数リソース占用周期がさらに含まれる。
【００８８】
具体的に、前記特定モジュール４０２は、具体的に、前記スケジューリング割当情報に基づいて、所定の時間−周波数リソース最大有効回数を特定し、２以上の整数である前記時間−周波数リソース最大有効回数を前記予約回数とすることに用いられる。
【００８９】
具体的に、前記特定モジュール４０２は、前記スケジューリング割当情報に基づいて、所定の時間−周波数リソース最大有効回数を特定することに用いられる第１特定サブモジュールと、２以上の整数である前記時間−周波数リソース最大有効回数と前記現在の余剰時間−周波数リソースの連続的占用の実際回数のうちの小さいほうの値を前記時間−周波数リソースの予約回数とすることに用いられる第２特定サブモジュールとを含む。
【００９０】
具体的に、前記特定モジュール４０２は、具体的に、前記現在の余剰時間−周波数リソースの連続的占用の有効回数を前記時間−周波数リソースの予約回数とすることに用いられる。前記現在の余剰時間−周波数リソースの連続的占用の有効回数は、前記第１ユーザ機器が特定した現在の余剰時間−周波数リソースの連続的占用の実際回数と、２以上の整数である所定の時間−周波数リソース最大有効回数のうちの小さいほうの値である。
【００９１】
具体的に、前記第２処理モジュールは、具体的に、前記時間−周波数リソースに関する新規のスケジューリング割当情報を前記第１ユーザ機器から連続的に受信しない回数が前記予約回数に達すると、前記時間−周波数リソースをアイドルリソースとすることに用いられる。
【００９２】
ここで、前記第１ユーザ機器が予約すべき時間−周波数リソースの情報は、前記時間−周波数リソースの位置情報であり、受信したスケジューリング割当情報の電力と受信した新規のスケジューリング割当情報の電力は、ともに所定値以上である。
【００９３】
本開示に記載する装置の稼動原理は、上記方法の実施例の記載を参照する。かつ当該装置は、移動端末に位置することができる。
【００９４】
以上の記載によれば、本開示の実施例において、第１ユーザ機器のスケジューリング割当情報を受信した後に、当該スケジューリング割当情報に基づいて、第１ユーザ機器による前記時間−周波数リソースの予約回数を特定し、予約回数が失効する前に、第１ユーザ機器の新規のスケジューリング割当情報を受信したかに応じて、第１ユーザ機器が予約した時間−周波数リソースの利用可否を特定する。したがって、本開示の実施例によれば、第１ユーザ機器の予約リソースに対する占用状況を迅速に取得することができ、当該予約リソースに対し相応な処理を行うことによって、従来技術の予約リソースに対する誤警報や誤判定が避けられ、リソース割当効率が向上する。
【００９５】
図１１に示すように、本開示の実施例５のリソース予約装置は、予約すべき時間−周波数リソースの情報が含まれるスケジューリング割当情報を第２ユーザ機器に送信することに用いられる第１情報送信モジュール５０１と、引き続き前記時間−周波数リソースの予約が必要である場合、前記時間−周波数リソースに関する新規のスケジューリング割当情報を前記第２ユーザ機器に送信することに用いられる第２情報送信モジュール５０２とを含む。
【００９６】
図１２に示すように、前記装置は、前記スケジューリング割当情報に含まれる内容を特定することに用いられる情報特定モジュール５０３をさらに含む。前記予約すべき時間−周波数リソースの情報を含むほか、前記スケジューリング割当情報には、時間−周波数リソース占用周期がさらに含まれ、または、前記スケジューリング割当情報には、現在の余剰時間−周波数リソースの連続的占用の実際回数がさらに含まれ、または、前記スケジューリング割当情報には、現在の余剰時間−周波数リソースの連続的占用の実際回数、時間−周波数リソース占用周期がさらに含まれ、または、前記スケジューリング割当情報には、現在の余剰時間−周波数リソースの連続的占用の有効回数、時間−周波数リソース占用周期がさらに含まれる。
【００９７】
ここで、前記現在の余剰時間−周波数リソースの連続的占用の実際回数は、前記時間−周波数リソースを利用したデータ伝送回数の逓増につれて逓減する。
【００９８】
具体的に、前記情報特定モジュール５０３は、現在の余剰時間−周波数リソースの連続的占用の有効回数を特定する際に、具体的に、前記現在の余剰時間−周波数リソースの連続的占用の実際回数と、２以上の整数である所定の時間−周波数リソース最大有効回数のうちの小さいほうの値を、前記現在の余剰時間−周波数リソースの連続的占用の有効回数とすることに用いられる。
【００９９】
本開示に記載する装置の稼動原理は、上記方法の実施例の記載を参照する。かつ当該装置は、移動端末に位置することができる。
【０１００】
以上の記載によれば、本開示の実施例において、第２ユーザ機器は、第１ユーザ機器のスケジューリング割当情報を受信した後に、当該スケジューリング割当情報に基づいて、第１ユーザ機器による前記時間−周波数リソースの予約回数を特定し、予約回数が失効する前に、第１ユーザ機器の新規のスケジューリング割当情報を受信したかに応じて、第１ユーザ機器が予約した時間−周波数リソースの利用可否を特定する。したがって、本開示の実施例によれば、第１ユーザ機器の予約リソースに対する占用状況を迅速に取得することができ、当該予約リソースに対し相応な処理を行うことによって、従来技術の予約リソースに対する誤警報や誤判定が避けられ、リソース割当効率が向上する。
【０１０１】
本開示の実施例６のリソース予約装置は、プロセッサと、バスインタフェースを介して前記プロセッサに接続され、前記プロセッサによる操作実行に用いられるプログラムとデータを記憶することに用いられるメモリを含む。プロセッサは、前記メモリに格納されているプログラムとデータを呼び出して実行すると、下記の機能モジュールまたはユニットを実現する。受信モジュールは、第１ユーザ機器から送信されるスケジューリング割当情報であって、前記第１ユーザ機器が予約すべき時間−周波数リソースの情報を含むスケジューリング割当情報を受信することに用いられる。特定モジュールは、前記スケジューリング割当情報に基づいて、前記第１ユーザ機器による前記時間−周波数リソースの予約回数を特定することに用いられる。第１処理モジュールは、前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することに用いられる。第２処理モジュールは、前記予約回数が失効する前に、前記第１ユーザ機器から送信される前記時間−周波数リソースに関する新規のスケジューリング割当情報を受信しなければ、前記時間−周波数リソースをアイドルリソースとすることに用いられる。
【０１０２】
例として、図１３のように、第２ユーザ機器に応用することができるリソース予約装置１３００は、受信機１３０１と、プロセッサ１３０２と、当該プロセッサ１３０２による操作実行に用いられるデータを記憶することに用いられるメモリ１３０３を含む。メモリ１３０３は、ＲＯＭまたはＲＡＭを含み、プロセッサ１３０２に指令とデータを提供する。メモリ１３０３の一部は、ＮＶＲＡＭ（Ｎｏｎ  Ｖｏｌａｔｉｌｅ  Ｒａｎｄｏｍ  Ａｃｃｅｓｓ  Ｍｅｍｏｒｙ）を含んでもよい。受信機１３０１と、プロセッサ１３０２と、メモリ１３０３は、バスシステム１０１０を介して結合される。ここでバスシステム１３１０は、データバスを含むほか、電源バス、制御バスおよび状態信号バスも含む。明確に説明するために、図では各種類のバスを全てバスシステム１３１０と記載する。
【０１０３】
実施例において、前記受信機１３０１は、第１ユーザ機器が予約すべき時間−周波数リソースの情報が含まれるスケジューリング割当情報を前記第１ユーザ機器から受信することに用いられる。前記プロセッサ１３０２は、前記受信機１３０１によって受信された前記スケジューリング割当情報に基づいて、前記第１ユーザ機器による前記時間−周波数リソースの予約回数を特定することと、前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することと、前記予約回数が失効する前に、前記第１ユーザ機器から送信される前記時間−周波数リソースに関する新規のスケジューリング割当情報を受信しなければ、前記時間−周波数リソースをアイドルリソースとすることに用いられる。
【０１０４】
本開示の実施例７のリソース予約装置は、プロセッサと、バスインタフェースを介して前記プロセッサに接続され、前記プロセッサによる操作実行に用いられるプログラムとデータを記憶することに用いられるメモリを含む。プロセッサは、前記メモリに格納されているプログラムとデータを呼び出して実行すると、下記の機能モジュールまたはユニットを実現する。第１情報送信モジュールは、予約すべき時間−周波数リソースの情報が含まれるスケジューリング割当情報を第２ユーザ機器に送信することに用いられる。第２情報送信モジュールは、引き続き前記時間−周波数リソースの予約が必要である場合、前記時間−周波数リソースに関する新規のスケジューリング割当情報を前記第２ユーザ機器に送信することに用いられる。
【０１０５】
例として、図１４のように、第１ユーザ機器に応用することができるリソース予約装置１４００は、送信機１４０１と、プロセッサ１４０２と、当該プロセッサ１４０２による操作実行に用いられるデータを記憶することに用いられるメモリ１４０３を含む。メモリ１４０３は、ＲＯＭまたはＲＡＭを含み、プロセッサ１４０２に指令とデータを提供する。メモリ１４０３の一部は、ＮＶＲＡＭ（Ｎｏｎ  Ｖｏｌａｔｉｌｅ  Ｒａｎｄｏｍ  Ａｃｃｅｓｓ  Ｍｅｍｏｒｙ）を含んでもよい。送信機１４０１と、プロセッサ１４０２と、メモリ１４０３は、バスシステム１４１０を介して結合される。ここでバスシステム１４１０は、データバスを含むほか、電源バス、制御バスおよび状態信号バスも含む。明確に説明するために、図では各種類のバスを全てバスシステム１４１０と記載する。
【０１０６】
実施例において、前記送信機１４１０は、予約すべき時間−周波数リソースの情報が含まれるスケジューリング割当情報を第２ユーザ機器に送信することと、引き続き前記時間−周波数リソースの予約が必要であることを前記プロセッサ１４０２によって特定すると、前記時間−周波数リソースに関する新規のスケジューリング割当情報を前記第２ユーザ機器に送信することに用いられる。
【０１０７】
なお、本開示の実施例６、７の装置は、上記方法実施例のリソース予約方法を対応的に実現することのできる装置である。したがって、上記方法実施例のリソース予約方法の全ての実施例は、いずれも当該実施例６、７に適用し、かつ同一または類似な有益な効果を奏することができる。
【０１０８】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各配置部分の相互間の結合や直接結合や通信接続は、インタフェース、装置またはユニットを介した間接結合や通信接続であってもよく、電気的、機械的、または他の形式であってもよい。
【０１０９】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１１０】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１１１】
以上記載されたのは、本開示の好ましい実施形態である。なお、当業者は、本開示に記載されている原理を逸脱せずに様々な改良や修飾をすることもできる。これらの改良や修飾も、本開示の保護範囲として見なされるべきである。
【図１】
2019523609.tif 000003
【図２】
2019523609.tif 000004
【図３】
2019523609.tif 000005
【図４】
2019523609.tif 000006
【図５】
2019523609.tif 000007
【図６】
2019523609.tif 000008
【図７】
2019523609.tif 000009
【図８】
2019523609.tif 000010
【図９】
2019523609.tif 000011
【図１０】
2019523609.tif 000012
【図１１】
2019523609.tif 000013
【図１２】
2019523609.tif 000014
【図１３】
2019523609.tif 000015
【図１４】
2019523609.tif 000016
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
第１ユーザ機器から送信されるスケジューリング割当情報であって、前記第１ユーザ機器が予約すべき時間−周波数リソースの情報を含むスケジューリング割当情報を受信することと、
前記スケジューリング割当情報に基づいて、前記第１ユーザ機器による前記時間−周波数リソースの予約回数を特定することと、
前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することと、
前記予約回数が失効する前に、前記第１ユーザ機器から送信される前記時間−周波数リソースに関する新規のスケジューリング割当情報を受信しなければ、前記時間−周波数リソースをアイドルリソースとすることとを含むリソース予約方法。
【請求項２】
前記スケジューリング割当情報には、時間−周波数リソース占用周期がさらに含まれ、または、
前記スケジューリング割当情報には、現在の余剰時間−周波数リソースの連続的占用の実際回数がさらに含まれ、または、
前記スケジューリング割当情報には、現在の余剰時間−周波数リソースの連続的占用の実際回数、時間−周波数リソース占用周期がさらに含まれ、または、
前記スケジューリング割当情報には、現在の余剰時間−周波数リソースの連続的占用の有効回数、時間−周波数リソース占用周期がさらに含まれる請求項１に記載の方法。
【請求項３】
前記スケジューリング割当情報に基づいて、前記第１ユーザ機器による前記時間−周波数リソースの予約回数を特定することは、
前記スケジューリング割当情報に基づいて、所定の時間−周波数リソース最大有効回数を特定し、２以上の整数である前記時間−周波数リソース最大有効回数を前記予約回数とすること、または、
前記スケジューリング割当情報に基づいて、所定の時間−周波数リソース最大有効回数を特定することと、
２以上の整数である前記時間−周波数リソース最大有効回数と前記現在の余剰時間−周波数リソースの連続的占用の実際回数のうちの小さいほうの値を前記時間−周波数リソースの予約回数とすること、または、
前記現在の余剰時間−周波数リソースの連続的占用の有効回数を前記時間−周波数リソースの予約回数とすることを含む、
請求項２に記載の方法。
【請求項４】
前記予約回数が失効する前に、前記第１ユーザ機器から送信される前記時間−周波数リソースに関する新規のスケジューリング割当情報を受信しなければ、前記時間−周波数リソースをアイドルリソースとすることは、
前記時間−周波数リソースに関する新規のスケジューリング割当情報を前記第１ユーザ機器から連続的に受信しない回数が前記予約回数に達すると、前記時間−周波数リソースをアイドルリソースとする請求項１に記載の方法。
【請求項５】
予約すべき時間−周波数リソースの情報が含まれるスケジューリング割当情報を第２ユーザ機器に送信することと、
引き続き前記時間−周波数リソースの予約が必要である場合、前記時間−周波数リソースに関する新規のスケジューリング割当情報を前記第２ユーザ機器に送信することとを含むリソース予約方法。
【請求項６】
前記スケジューリング割当情報には、時間−周波数リソース占用周期がさらに含まれ、または、
前記スケジューリング割当情報には、現在の余剰時間−周波数リソースの連続的占用の実際回数がさらに含まれ、または、
前記スケジューリング割当情報には、現在の余剰時間−周波数リソースの連続的占用の実際回数、時間−周波数リソース占用周期がさらに含まれ、または、
前記スケジューリング割当情報には、現在の余剰時間−周波数リソースの連続的占用の有効回数、時間−周波数リソース占用周期がさらに含まれる請求項５に記載の方法。
【請求項７】
前記現在の余剰時間−周波数リソースの連続的占用の実際回数は、前記時間−周波数リソースを利用したデータ伝送回数の逓増につれて逓減する請求項６に記載の方法。
【請求項８】
前記現在の余剰時間−周波数リソースの連続的占用の有効回数は、前記現在の余剰時間−周波数リソースの連続的占用の実際回数と、２以上の整数である所定の時間−周波数リソース最大有効回数のうちの小さいほうの値である請求項６に記載の方法。
【請求項９】
第１ユーザ機器から送信されるスケジューリング割当情報であって、前記第１ユーザ機器が予約すべき時間−周波数リソースの情報を含むスケジューリング割当情報を受信することに用いられる受信モジュールと、
前記スケジューリング割当情報に基づいて、前記第１ユーザ機器による前記時間−周波数リソースの予約回数を特定することに用いられる特定モジュールと、
前記予約回数が失効する前に、前記第１ユーザ機器から送信される前記時間−周波数リソースに関する新規のスケジューリング割当情報を受信すれば、前記新規のスケジューリング割当情報に基づいて、前記時間−周波数リソースに対する予約情報を改めて特定することに用いられる第１処理モジュールと、
前記予約回数が失効する前に、前記第１ユーザ機器から送信される前記時間−周波数リソースに関する新規のスケジューリング割当情報を受信しなければ、前記時間−周波数リソースをアイドルリソースとすることに用いられる第２処理モジュールとを含むリソース予約装置。
【請求項１０】
前記スケジューリング割当情報には、時間−周波数リソース占用周期がさらに含まれ、または、
前記スケジューリング割当情報には、現在の余剰時間−周波数リソースの連続的占用の実際回数がさらに含まれ、または、
前記スケジューリング割当情報には、現在の余剰時間−周波数リソースの連続的占用の実際回数、時間−周波数リソース占用周期がさらに含まれ、または、
前記スケジューリング割当情報には、現在の余剰時間−周波数リソースの連続的占用の有効回数、時間−周波数リソース占用周期がさらに含まれる請求項９に記載の装置。
【請求項１１】
前記特定モジュールは、
前記スケジューリング割当情報に基づいて、所定の時間−周波数リソース最大有効回数を特定し、２以上の整数である前記時間−周波数リソース最大有効回数を前記予約回数とすることに用いられること、または、
前記特定モジュールは、
前記スケジューリング割当情報に基づいて、所定の時間−周波数リソース最大有効回数を特定することに用いられる第１特定サブモジュールと、
２以上の整数である前記時間−周波数リソース最大有効回数と前記現在の余剰時間−周波数リソースの連続的占用の実際回数のうちの小さいほうの値を前記時間−周波数リソースの予約回数とすることに用いられる第２特定サブモジュールとを含むこと、または、
前記特定モジュールは、
前記現在の余剰時間−周波数リソースの連続的占用の有効回数を前記時間−周波数リソースの予約回数とすることに用いられる請求項１０に記載の装置。
【請求項１２】
前記第２処理モジュールは、
前記時間−周波数リソースに関する新規のスケジューリング割当情報を前記第１ユーザ機器から連続的に受信しない回数が前記予約回数に達すると、前記時間−周波数リソースをアイドルリソースとすることに用いられる請求項９に記載の装置。
【請求項１３】
予約すべき時間−周波数リソースの情報が含まれるスケジューリング割当情報を第２ユーザ機器に送信することに用いられる第１情報送信モジュールと、
引き続き前記時間−周波数リソースの予約が必要である場合、前記時間−周波数リソースに関する新規のスケジューリング割当情報を前記第２ユーザ機器に送信することに用いられる第２情報送信モジュールとを含むリソース予約装置。
【請求項１４】
前記スケジューリング割当情報に含まれる内容を特定することに用いられる情報特定モジュールをさらに含み、
前記スケジューリング割当情報には、時間−周波数リソース占用周期がさらに含まれ、または、
前記スケジューリング割当情報には、現在の余剰時間−周波数リソースの連続的占用の実際回数がさらに含まれ、または、
前記スケジューリング割当情報には、現在の余剰時間−周波数リソースの連続的占用の実際回数、時間−周波数リソース占用周期がさらに含まれ、または、
前記スケジューリング割当情報には、現在の余剰時間−周波数リソースの連続的占用の有効回数、時間−周波数リソース占用周期がさらに含まれる請求項１３に記載の装置。
【請求項１５】
前記現在の余剰時間−周波数リソースの連続的占用の実際回数は、前記時間−周波数リソースを利用したデータ伝送回数の逓増につれて逓減する請求項１４に記載の装置。
【手続補正２】
【補正対象書類名】明細書
【補正対象項目名】００６７
【補正方法】変更
【補正の内容】
【００６７】
上記（３）と（４）の場合、ＵＥ２は、所定の時間−周波数リソース最大有効回数を取得し、当該時間−周波数リソース最大有効回数Ｎ３と、現在の余剰時間−周波数リソースの連続的占用の実際回数Ｎ２のうちの小さいほうの値を予約回数とする。すなわち、ここでＮ１＝ｍｉｎ（Ｎ２，Ｎ３）である。
【国際調査報告】
2019523609.tif 000017
2019523609.tif 000018
2019523609.tif 000019
2019523609.tif 000020